(57)【要約】【課題】  限定された範囲内で他の無線通信装置と通信グループを設定することができるウェアラブル無線通信装置、及びそれを用いた通信グループ設定方法を提供する。【解決手段】  通信グループ設定情報をDTMF（Dual Tone Multi-Frequency）信号に変換して送信したり、通信グループ設定情報の所定のRSSI（Received Signal Strength Indicator）基準値を含ませて送信して通信グループを設定する。【選択図】図１
2018113665.tif 000002
【特許請求の範囲】
【請求項１】
ウェアラブル無線通信装置であって、
アナログ音声信号が入力される受信部と、
前記受信部を通じて入力されるアナログ音声信号を増幅する第１増幅部と、
前記第１増幅部から出力される増幅されたアナログ音声信号をデジタル音声信号に変換するアナログ/デジタル（A/D）変換器と、
前記A/D変換器から出力されるデジタル音声信号を受信して出力し、アンテナを通じて受信されるデジタル音声信号を出力する制御部と、
前記アンテナを通じて受信される信号の前記制御部への入力、及び前記制御部から出力される信号の前記アンテナを通じた送信を制御するRFトランシーバと、
前記制御部から出力されるデジタル音声信号をアナログ音声信号に変換するデジタル/アナログ（D/A）変換器と、
前記D/A変換器から出力されるアナログ音声信号を増幅する第２増幅部と、
前記第２増幅部から出力されるアナログ音声信号を送出する音声出力部と、を備え、前記制御部が限定された範囲内で他の無線通信装置と通信グループを設定できるように、前記他の無線通信装置に通信グループ設定情報を送信することを特徴とする、ウェアラブル無線通信装置。
【請求項２】
前記制御部が、前記通信グループ設定情報をDTMF信号に変換して前記音声出力部を通じてDTMF信号を送出し、
前記制御部が、前記受信部からDTMF信号が入力されると入力されたDTMF信号をデコーディングして通信グループ設定情報を取得する、請求項１に記載のウェアラブル無線通信装置。
【請求項３】
前記DTMF信号が、4×4行列の周波数成分を有する、請求項２に記載のウェアラブル無線通信装置。
【請求項４】
前記制御部が、前記通信グループ設定情報に所定のRSSI基準値を含ませて前記アンテナを通じて送信し、
前記制御部が、前記アンテナを通じて通信グループ設定情報を受信した際、受信した前記通信グループ設定情報からRSSI基準値を抽出し、測定されたRSSI値が抽出された前記RSSI基準値以上であれば、受信した前記通信グループ設定情報を確認する、請求項１に記載のウェアラブル無線通信装置。
【請求項５】
前記通信グループ設定情報が、制御命令（INST）パケットを含み、前記RSSI基準値が、前記制御INSTパケットのReserve1またはReserve2領域に含まれる、請求項４に記載のウェアラブル無線通信装置。
【請求項６】
前記通信グループ設定情報が、前記通信グループに含まれる無線通信装置のID、ペアリングコード、マスタ、スレーブ、及び制御INSTを含む、請求項１に記載のウェアラブル無線通信装置。
【請求項７】
前記制御部が、前記アンテナを通じて受信した信号を増幅し、前記アンテナを通じて信号を送信して、前記ウェアラブル無線通信装置をリピータまたはリレー機能として動作させる、請求項１に記載のウェアラブル無線通信装置。
【請求項８】
前記制御部が、他の無線通信装置から受信した信号をVoIP装置に送信し、該VoIP装置から受信した信号を他の無線通信装置に送信して、前記ウェアラブル無線通信装置をドナー無線機(donor radio)として動作させる、請求項１に記載のウェアラブル無線通信装置。
【請求項９】
通信グループを設定しようとするウェアラブル無線通信装置が、限定された範囲内で他の無線通信装置と通信グループを設定できるように前記他のウェアラブル無線通信装置に通信グループ設定情報を送信する段階と、
前記他の無線通信装置が前記通信グループ設定情報を受信し確認することで通信グループが設定される段階とを含むことを特徴とする、ウェアラブル無線通信装置を用いた無線通信グループ設定方法。
【請求項１０】
前記通信グループ設定情報を送信する段階は、前記通信グループ設定情報をDTMF信号に変換してスピーカを通じて送出し、
前記通信グループが設定される段階は、マイクを通じて前記DTMF信号を受信する段階と、前記DTMF信号をデコーディングして通信グループ設定情報を取得する段階とを含む、請求項９に記載のウェアラブル無線通信装置を用いた無線通信グループ設定方法。
【請求項１１】
前記通信グループ設定情報を送信する段階は、前記通信グループ設定情報に所定のRSSI基準値を含ませて、アンテナを通じて送信し、
前記通信グループが設定される段階は、アンテナを通じて通信グループ設定情報を受信し、受信した前記通信グループ設定情報からRSSI基準値を抽出する段階と、測定されたRSSI値が抽出された前記RSSI基準値以上であった場合、受信した前記通信グループ設定情報を確認する段階とを含む、請求項９に記載のウェアラブル無線通信装置を用いた無線通信グループ設定方法。
【発明の詳細な説明】
【技術分野】
【０００１】
本発明は、ウェアラブル無線通信装置、及びこれを用いた通信グループの設定方法に関する。特に、時分割で同時に送受信を行うことができる全二重通信機能を有し、長時間の使用であっても使用者が快適に感じるように軽量で装着し易いように設計された人間工学的設計（エルゴノミック）ケースを含むウェアラブル無線通信装置、及びこれを用いた通信グループ設定方法に関する。
【背景技術】
【０００２】
無線機は、無線電信または無線電話に使用される機械である。無線トランシーバを用いる場合には、相互通信を行う際、基地局や中継局が不要であり、通話料も不要である。上記のような利点を利用して、様々な分野で無線機が使用されている。例えば、警察、産業分野、工場、軍隊、登山、及びレジャースポーツ分野において、携帯用無線機、日常用無線機、車両用無線機、第三者無線（trunked radio system, TRS）無線機が使用されている。
【０００３】
無線機は、アンテナを通じて受信した信号を変換して、外部スピーカに出力することにより受信した音声を再生し、外部マイクを通じて、受信した音声を相手に伝える。
【０００４】
しかしながら、現在提供されている無線機は、片方向(simplex)又は半二重（half duplex）通信方式を使用しており、最近開発されたウェアラブル型無線機は、これらを頻繁に使用する。
【０００５】
また、現在提供されている一般的な無線機や最近開発されたウェアラブル型無線機は、一般的なPTT（Push-to-Talk）ボタンの操作により音声を入力するため、音声入力操作が比較的不便である。また、ウェアラブル無線機使用時に機密性を要する状況では、音声入力操作が視覚的に認識されてしまうおそれがある。
【０００６】
また、現在提供されている一般的な無線機やウェアラブル無線機は、待機状態で多くの電力を消費するため、頻繁に電池を交換する必要があり、電池の消耗による機能停止現象が多発する。
【発明の概要】
【発明が解決しようとする課題】
【０００７】
本発明の一つの態様では、全二重通信機能による時分割方式を用いて同時に送受信を行うことができるウェアラブル無線通信装置、及びこれを用いた無線通信方法を提供する。
【０００８】
本発明の他の態様は、コード組合せを用いた分割機能により設定された通信グループに属する無線通信装置間のみで通信させることが可能であり、該当する通信グループに属する無線通信装置間での通信を、雑音や混信なしでクリアに行うことができるウェアラブル無線通信装置、及びこれを用いた無線通信方法を提供する。
【０００９】
本発明の他の態様は、受信部に入力される音声信号を、使用者によるプッシュツートーク（push to talk, PTT）ボタン等の追加的な入力動作なしで、ウェアラブル無線通信装置の無線周波数（RF）トランシーバ及びアンテナを通じて自動的に送出することができるウェアラブル無線通信装置、及びこれを用いた無線通信方法を提供する。
【００１０】
本発明の他の態様は、人間工学に基づいて設計されたケースにより、着用し易く、長時間使用しても不便に感じることがないウェアラブル無線通信装置、及びこれを用いた無線通信方法を提供する 。
【００１１】
本発明の他の態様は、他のウェアラブル無線通信装置の通信を遠隔制御できるウェアラブル無線通信装置であって、複数のウェアラブル無線通信装置間のマスタ−スレーブ関係を形成して、当該マスタ−スレーブ関係のウェアラブル無線通信装置間の音声通信を効率良く行うことができるウェアラブル無線通信装置、及びこれを用いた無線通信方法を提供する。
【００１２】
本発明の他の態様は、通信グループ設定情報をデュアルトーンマルチ周波数(DTMF)信号に変換して送信することにより、または所定の受信信号強度インジケータ（RSSI）基準値を含む通信グループ設定情報を送信することにより、限定された範囲内において、他の無線通信装置と通信グループを設定することができるウェアラブル無線通信装置、及びこれを用いた通信グループ設定方法を提供する。
【課題を解決するための手段】
【００１３】
本発明の一態様によれば、アナログ音声信号が入力される受信部と、前記受信部を通じて入力されるアナログ音声信号を増幅する第１増幅部と、前記第１増幅部から出力される増幅されたアナログ音声信号をデジタル音声信号に変換するアナログ/デジタル（A/D）変換器と、前記A/D変換器から出力されるデジタル音声信号を受信して出力し、アンテナを通じて受信されるデジタル音声信号を出力する制御部と、前記アンテナを通じて受信される信号の前記制御部への入力及び前記制御部から出力される信号の前記アンテナを通じた送信を制御するRFトランシーバと、前記制御部から出力されるデジタル音声信号をアナログ音声信号に変換するデジタル/アナログ（D/A）変換器と、前記D/A変換器から出力されるアナログ音声信号を増幅する第２増幅部と、前記第２増幅部から出力されるアナログ音声信号を送出する音声出力部と、を備えるウェアラブル無線通信装置が提供される。ここで、前記制御部は、限定された範囲内で他の無線通信装置と通信グループを設定できるように、前記他の無線通信装置に通信グループ設定情報を送信する。
【００１４】
前記制御部は、前記通信グループ設定情報をDTMF信号に変換し、前記音声出力部を通じてDTMF信号を送出してもよい。 前記制御部は、前記受信部からDTMF信号が入力されると、入力されたDTMF信号をデコーディングして通信グループ設定情報を取得することができる。
【００１５】
前記DTMF信号は、4×4行列の周波数成分を有してもよい。
【００１６】
前記制御部は、前記通信グループ設定情報に所定のRSSI基準値を含ませて、アンテナを通じて送信することができる。前記制御部は、前記アンテナを通じて通信グループ設定情報を受信した際、受信した通信グループ設定情報からRSSI基準値を抽出し、測定されたRSSI値が抽出された前記RSSI基準値以上であれば、受信した通信グループ設定情報を確認することができる。
【００１７】
前記通信グループ設定情報は、制御命令（INST）パケットを含んでもよく、前記RSSI基準値は、前記制御INSTパケットのReserve1またはReserve2領域に含まれてもよい。
【００１８】
前記通信グループ設定情報は、前記通信グループに含まれる無線通信装置のID、ペアリングコード、マスタ、スレーブ、及び制御INSTを含んでもよい。
【００１９】
前記制御部は、前記アンテナを通じて受信した信号を増幅し、前記アンテナを通じて信号を送信して、前記ウェアラブル無線通信装置をリピータまたはリレー機能として動作させることができる。
【００２０】
前記制御部は、他の無線通信装置から受信した信号をVoIP装置に送信し、該VoIP装置から受信した信号を他の無線通信装置に送信して、前記ウェアラブル無線通信装置をドナー無線機(donor radio)として動作させることができる。
【００２１】
本発明の他の態様によるウェアラブル無線通信装置を用いた無線通信方法は、通信グループを設定しようとするウェアラブル無線通信装置が、限定された範囲内で他の無線通信装置と通信グループを設定できるように前記他のウェアラブル無線通信装置に通信グループ設定情報を送信する段階と、前記他の無線通信装置が前記通信グループ設定情報を受信し確認することで通信グループが設定される段階とを含む。
【００２２】
前記通信グループ設定情報を送信する段階は、前記通信グループ設定情報をDTMF信号に変換してスピーカを通じて送出する段階を含んでもよい。前記通信グループが設定される段階は、マイクを通じて前記DTMF信号を受信する段階と、前記DTMF信号をデコーディングして通信グループ設定情報を取得する段階とを含んでもよい。
【００２３】
前記通信グループ設定情報を送信する段階は、前記通信グループ設定情報に所定のRSSI基準値を含ませて、アンテナを通じて送信する段階を含んでもよい。前記通信グループが設定される段階は、アンテナを通じて通信グループ設定情報を受信し、受信した前記通信グループ設定情報からRSSI基準値を抽出する段階と、測定されたRSSI値が抽出された前記RSSI基準値以上であった場合、前記受信した通信グループ設定情報を確認する段階を含んでもよい。
【図面の簡単な説明】
【００２４】
本発明の目的、特徴及び利点を、添付の図面を参照しながら例示的な実施形態を用いて当業者にわかりやすく詳細に説明する。
【図１】図１は、本発明の一実施形態に係るウェアラブル無線通信装置の構成を示すブロック図である。
【図２】図２は、本発明の一実施形態に係るウェアラブル無線通信装置の基本パケット及び制御命令（INST）パケットを示す図である。
【図３】図３は、本発明の一実施形態に係るウェアラブル無線通信装置の基本パケット及び制御命令（INST）パケットを示す図である。
【図４】図４は、本発明の一実施形態に係るウェアラブル無線通信装置の通信タイミング図である。
【図５】図５は、本発明の一実施形態に係るウェアラブル無線通信装置の通信タイミング図である。
【図６】図６は、本発明の一実施形態に係るウェアラブル無線通信装置の通信タイミング図である。
【図７】図７は、本発明の一実施形態に係るウェアラブル無線通信装置の信号待機状態の一例を示す図である。
【図８】図８は、本発明の一実施形態に係るスピーカ型ウェアラブル無線通信装置の一例を示す斜視図である。
【図９】図９は、本発明の一実施形態に係るイヤホン型ウェアラブル無線通信装置の一例を示す斜視図である。
【図１０】図１０は、本発明の一実施形態に係るウェアラブル無線通信装置の無線通信方法における信号送信過程を示すフローチャートである。
【図１１】図１１は、本発明の一実施形態に係るウェアラブル無線通信装置の無線通信方法における信号送信過程を示すフローチャートである。
【図１２】図１２は、本発明の一実施形態に係るウェアラブル無線通信装置の無線通信方法において全二重通信を実行する処理を示すフローチャートである。
【図１３】図１３は、本発明の一実施形態に係る通信グループ設定方法を示すフローチャートである。
【図１４】図１４は、本発明の他の実施形態に係る通信グループ設定方法を示すフローチャートである。
【図１５】図１５は、図１４の通信グループ設定方法で使用されるデュアルトーンマルチ周波数（DTMF）信号の一例を示す図である。
【図１６】図１６は、本発明の他の実施形態に係る通信グループ設定方法を示すフローチャートである。
【図１７】図１７は、本発明の一実施形態に係るウェアラブル無線通信装置がリピータ又はリレーとして動作する一例を示す図である。
【図１８】図１８は、本発明の一実施形態に係るウェアラブル無線通信装置がドナー無線機として動作する様子を示す図である。
【図１９】図１９は、図８のスピーカ型ウェアラブル無線通信装置のケースにストラップを接続した状態を示す図である。
【図２０】図２０は、図９のイヤホン型ウェアラブル無線通信装置が使用者の衣服に取り付けられる構成を示す図である。
【発明を実施するための形態】
【００２５】
以下、図面を参照して、本発明の実施形態を詳細に説明する。なお、以下の説明および添付図面において、実質的に同一の構成要素には同一の符号を付して重複する説明は省略する。また、本発明の実施形態の説明を通じて、本発明の要旨を不必要に曖昧にする可能性があると判断された場合、公知の機能及び構成に対する詳細な説明は省略する。
【００２６】
本発明の実施形態は、互いに異なってもよいが、互いに排他的ではない。例えば、本発明の一実施形態で開示される特定の形状、構造、および特徴は、本発明の概念および範囲から逸脱することなく他の実施形態として具体化されてもよい。また、本発明の実施形態に含まれる各構成要素の位置や配置は、本発明の概念や範囲から逸脱することなく変更可能である。
【００２７】
したがって、以下の詳細な説明は、本発明の範囲及びその範囲を限定するものではなく、本発明の範囲は適切な説明が行われる前提で特許請求の範囲によって規定される内容及びその均等物によってのみ制限される。図面で類似した参照番号は、様々な態様における同様の又は類似の機能を指す。
【００２８】
本明細書で使用される用語は、本発明の機能を考慮して可能な限り一般的な用語を使用したが、当業者の意図、実施、新技術の出現などによって変わり得る。また、特定の場合には、出願人が任意に選択した用語が存在する。この場合の意味については、対応する本発明の説明部分で詳細に説明する。したがって、本明細書中で使用される用語は、単純な用語の指定ではなく、本発明全体の内容に基づいて定義されるべきである。
【００２９】
明細書全体を通して、ある部分が所定の構成要素を「含む」と記載されている場合、他の構成要素を排除するものではなく、他の構成要素をさらに含んでもよいことを意味する。また、本明細書における「部分」、「モジュール」などの用語は、それぞれが少なくとも1つの機能または動作を実行するように構成されたユニットを意味し、ハードウェア、ソフトウェア、またはハードウェアとソフトウェアの組み合わせとして、具現化されてもよい。
【００３０】
図１〜図１８を参照して、本発明の一実施形態に係るウェアラブル無線通信装置及びそれを用いた無線通信方法について説明する。
【００３１】
まず、図１〜図９を参照して、本発明の一実施形態に係るウェアラブル無線通信装置について説明する。
【００３２】
図１は、本発明の一実施形態に係るウェアラブル無線通信装置の構成を示すブロック図である。
【００３３】
図示されたように、本発明の一実施形態に係るウェアラブル無線通信装置100は、受信部110と、第１増幅部120と、アナログ/デジタル（A/D）変換器130と、制御部140と、RFトランシーバ150と、D/A変換器160と、第２増幅部170と、音声出力部180と、アンテナ220と含む。また、本発明の一実施形態に係るウェアラブル無線通信装置100は、コンパレータ190、入力部200、表示部210、及びケース（図示せず。図８および図９参照）をさらに含んでもよい。
【００３４】
受信部110は、アナログ音声信号が入力される部分であり、ウェアラブル無線通信装置100の使用者は、受信部110を介して音声を入力する。受信部110は、一般的なマイクであってもよい。
【００３５】
第１増幅部120は、受信部110を通じて入力されたアナログ音声信号を増幅する。
A/D変換器130は、第１増幅部120から出力される増幅されたアナログ音声信号をデジタル音声信号に変換する。
【００３６】
制御部140は、A/D変換器130から出力されたデジタル音声信号を受信してRFトランシーバ150に出力する。また、制御部140は、アンテナ220を通じて受信されRFトランシーバ150を通じて入力されるデジタル音声信号を出力する。ここで、アンテナ220を通じて受信されるデジタル音声信号は、他のウェアラブル無線通信装置から送信されたデジタル音声信号、または他の装置から送信されたデジタル音声信号に該当する。
【００３７】
そして、制御部140は、アンテナ220の時分割機能を制御して、他の無線通信との全二重通信（Full Duplex）を可能にする。
【００３８】
また、制御部140は、コード組合せによる分割機能を通じて通信可能な他のウェアラブル無線通信装置のグループを設定し、これによって設定されたグループ内のウェアラブル無線通信装置間のみで通信が可能となる。
【００３９】
RFトランシーバ150は、アンテナ220を通じて受信した信号の制御部140への入力及び制御部140から出力される信号のアンテナを通じた送信を制御する。
【００４０】
D/A変換器160は、制御部140から出力されたデジタル音声信号をアナログ音声信号に変換する。
【００４１】
第２増幅部170は、D/A変換器160から出力されたアナログ音声信号を増幅する。
【００４２】
音声出力部180は、第２増幅部170から出力されたアナログ音声信号を送出する。すなわち、ウェアラブル無線通信装置100の使用者は、音声出力部180を通じて、他のウェアラブル無線通信装置又は他の装置から送られてくる使用者の音声を聞くことができる。音声出力部180は、通常のスピーカであってもよい。
【００４３】
コンパレータ190は、A/D変換器130と並列に第１増幅部120の出力端子に接続され、第１増幅部120から出力される増幅されたアナログ音声信号に音声データが存在するか否かを判別する。また、制御部140は、A/D変換器130及びコンパレータ190と並列に接続され、コンパレータ190から入力される信号に応じて、A/D変換器130から入力されるデジタル音声信号をRFトランシーバ150に自動的に出力する。
【００４４】
すなわち、ウェアラブル無線通信装置100は、コンパレータ190の出力信号を通じて第１増幅部120の出力信号に音声データが存在するか否かを判断し、音声データが存在する場合、該当する音声データをRFトランシーバ150に自動的に出力してアンテナ220を通じて外部に送出するので、ウェアラブル無線通信装置100の使用者は、プッシュツートーク（PTT）ボタン等を操作することなく、受信部110に入力する音声を外部に送出できる。
【００４５】
入力部200は、制御部140へのPTT信号を含む信号入力機能を遂行する。前記入力部200は、PTTボタンを含む多様なボタンを含むことができる。
【００４６】
表示部210は、制御部140に接続され、ウェアラブル無線通信装置100のシステム設定値や状態情報を画面に表示する。すなわち、ウェアラブル無線通信装置100の使用者は、表示部210を通じて、該当するウェアラブル無線通信装置100に対して各種設定を行い、また、使用中のウェアラブル無線通信装置100の現在の設定状態や動作状態を視覚的に確認することができる。
【００４７】
また、制御部140は、RFトランシーバ150に出力される信号を基本パケットと制御命令（INST）パケットとに分けて出力することができる。
【００４８】
図２および図３は、本発明の一実施形態によるウェアラブル無線通信装置の基本パケットおよび制御INSTパケットを示す。
【００４９】
図に示すように、基本パケットは、音声データを含むデジタル送受信基本フレームであり、制御INSTパケットは、音声データ送信以外に必要な制御用コマンドセットを含むフレームであり、コマンドが発生するたびに基本パケットに連続して別途伝送されてもよい。
【００５０】
また、基本パケットは、プリアンブル、開始コード、送信ID、受信ID、パスワードとして機能するペアリングコード、制御INST、音声データ及び終了コードを含むことができ、制御INSTパケットは、 パケットディレイ、スロット数、スロット順位、マスタ、スレーブ、リモート送信、Reserve1、およびReserve2を含んでもよい。ペアリングコードの付加的な説明として、コードのペアリングが一致するときに、別のウェアラブル無線通信装置と通話接続される。
【００５１】
また、制御INSTパケットのマスタとスレーブは、制御用コマンドセットを分配するマスタと、マスタを通じて分配される制御用コマンドセットを受信するスレーブに関する情報を含み、前記マスタが制御用コマンドを分配する権限を特定のスレーブに移転する情報を含んでもよい。これにより、２つ以上のウェアラブル無線通信装置の間でマスタ−スレーブ関係が形成される。また、マスタ機能は、マスタ役の特定のウェアラブル無線通信装置によって、特定のスレーブウェアラブル無線通信装置にマスタ機能が移転されて、これを中心に、ウェアラブル無線通信装置間の通信が行われてもよい。
【００５２】
また、制御INSTパケットのリモート送信は、マスタの特定のスレーブに対する送信制御及び単独受信に関する情報を含むことができる。これにより、マスタ役の特定のウェアラブル無線通信装置が、通信グループ内の他のウェアラブル無線通信装置の信号送受信機能をリモート制御できる。これに基づいて、該当する通信グループ内のウェアラブル無線通信装置間通信が行われてもよい。
【００５３】
また、基本パケットの最大タイムスロット（Tn）は、パケットディレイ（T）／スロット数（n）（ここで、スロット数nは、＜最大伝送速度／一般的な音声サンプリング速度（20kbps）＞より少ない整数である。必要時、データ圧縮によってスロット数n拡張可能）であってもよい。
【００５４】
また、制御INSTパケットのスロット数及びスロット順位には、スロット数nとスロット順位Nを表示し、通信グループ内の通信者がスロット数nを超えた場合、最後の順位のN通信者を代替して新規通信者がスロット内に進入して通信可能（但し、グループ内のスロット数を超えた通信者も、全ての通信者から常に受信可能）とすることができる。
【００５５】
また、図４〜図６は、本発明の一実施形態によるウェアラブル無線通信装置の通信タイミング図である。 図４は、IDが01のウェアラブル無線通信装置からIDが02のウェアラブル無線通信装置に時分割方式でパケットを伝送する例を示している。
【００５６】
図５は、IDが01のウェアラブル無線通信装置とIDが02のウェアラブル無線通信装置との間で、1：1方式で全二重通信（Full Duplex）及び時分割方式のパケット伝送によって通信が行われる過程を例示している。
【００５７】
図６は、IDが01乃至nのウェアラブル無線通信装置間で、1：n方式で全二重通信（Full Duplex）及び時分割方式のパケット伝送によって通信が行われる過程を例示している。
【００５８】
図１にもどると、制御部140は、アンテナ220を通じた他のウェアラブル無線通信装置からの信号受信待機状態又は受信部110を通じたアナログ音声信号受信待機状態で、事前に設定された時間の間スリープモードを維持した後、事前に設定された時間の間オートポーリングモードで動作し、スリープモード及びオートポーリングモードの転換を繰り返すことで、受信待機時の消費電力を低減することができる。
【００５９】
図７は、本発明の一実施形態に係るウェアラブル無線通信装置における信号待機状態の一例を示す図である。
【００６０】
図面に示すように、ウェアラブル無線通信装置100の受信待機モードは、スリープモード区間とオートポーリング区間とを含む。すなわち、ウェアラブル無線通信装置100の受信待機モードは、スリープモード区間とオートポーリング区間とを含む１周期を有し、別のウェアラブル無線通信装置からの音声信号が受信されるまで、スリープモード区間とオートポーリング区間からなる1周期を繰り返し実行する。本実施形態では、受信待機モードのスリープモードを維持する設定時間を180msとし、オートポーリングを維持する設定時間を20msとしている。また、1周期は合計4,000msであり、他のウェアラブル無線通信装置から音声信号が受信されるまで該当周期を繰り返し実行する。
【００６１】
また、他のウェアラブル無線通信装置は、予め設定された設定時間である220ms音声信号を繰り返し送信してもよい。したがって、他のウェアラブル無線通信装置から送信された音声信号を受信するための設定時間である220msの範囲内で、ウェアラブル無線通信装置100の受信待機モード中オートポーリングを維持する20msの時間がオーバーラップする。ウェアラブル無線通信装置100は、他のウェアラブル無線通信装置から送信された音声信号を受信し、他のウェアラブル無線通信装置100との間で音声信号を送受信することができる。
【００６２】
したがって、ウェアラブル無線通信装置100は、オートポーリング方式による受信待機モードによって、常時アクティブ状態で動作している既存の受信待機モードと比較して、受信待機状態の消費電力を大幅に低減することができる。
【００６３】
また、制御部140は、ウェアラブル無線通信装置100が、通信範囲内又は限定された範囲内で他の無線通信装置と通信グループを設定できるように、他の無線通信装置に通信グループ設定情報を送信できる。  限定された範囲内で他の無線通信装置と通信グループを設定する場合、制御部140は、通信グループ設定情報をDTMF（Dual Tone Multi-Frequency）信号に変換して音声出力部180を通じて送出するか、通信グループ設定情報に所定の受信信号強度インジケータ（RSSI）基準値を含ませてアンテナ220を通じて送信することができる。以上のような動作については、後ほど、図１３乃至図１６を参照してより詳しく説明する。
【００６４】
また、ウェアラブル無線通信装置100は、受信部110、第１増幅部120、A/D変換器130、制御部140、RFトランシーバ150、D/A変換器160、第２増幅部170、音声出力部180を設置するためのマトリックス(matrix)となるケースを更に含んでもよい。
【００６５】
図８は、本発明の一実施形態によるスピーカ型ウェアラブル無線通信装置の一例を示す斜視図である。 図に示すように、ケース230は、マイク110、スピーカ180、イヤホンポート等を外部に露出させる構造を有し、ストラップコネクタ及び使用者の衣服に装着するための着脱可能なクリップを含む。但し、本発明はこれに限定されるものではない。
【００６６】
また、図９は、本発明の一実施形態に係るイヤホン型ウェアラブル無線通信装置の一例を示す斜視図である。図に示すように、ケース330は、外部スピーカやマイクなしでイヤホンポートを露出させる構造を有する。 但し、本発明はこれに限定されるものではない。
【００６７】
以上の構成から明らかなように、ウェアラブル無線通信装置100は、制御部140の全二重通信（Full Duplex）機能により、時分割（time sharing）方式等を用いて送信と受信を同時に行うことができる。
【００６８】
また、コード組合せによる分割機能を通じて設定された通信グループ内のウェアラブル無線通信装置間でのみ通信が可能であるため、該当する通信グループ内のウェアラブル無線通信装置間の通信を、雑音や混信を最大限防止したクリアな状態で行うことができる。
【００６９】
また、制御部140の受信待機状態を、スリープモードとオートポーリングモードからなる１周期を反復する機能により、受信待機状態での消費電力を大幅に低減することができる。
【００７０】
また、コンパレータ190及び、コンパレータの信号によって受信部110を通じて入力された信号にアナログ音声信号が存在するか否かを判断する制御部140の機能を利用して、ウェアラブル無線通信装置100の使用者は、音声を入力するためのPTTボタン等を追加的に操作することなく、受信部110に入力される音声信号をウェアラブル無線通信装置100のRFトランシーバ150及びアンテナ220を通じて自動的に送出することができる。
【００７１】
また、ウェアラブル無線通信装置100は、人間工学的に設計されたケース230又は330の適用により装着し易い上に、軽量のケース230又は330によってウェアラブル無線通信装置100を長時間使用しても、特段不便さを感じない。
【００７２】
図１０〜図１８を参照して、本発明の一実施形態に係る無線通信方法について説明する。
【００７３】
図１〜図９を参照して説明したウェアラブル無線通信装置100は、本発明の一実施形態に係る無線通信方法に用いられるウェアラブル無線通信装置の一例である。したがって、以下の説明では、ウェアラブル無線通信装置の対応する構成要素を、図1〜図９を参照して説明したウェアラブル無線通信装置と同じ参照番号を用いた。
【００７４】
図１０は、本発明の一実施形態に係る無線ウェアラブル通信装置の無線通信方法における信号送信過程を示すフローチャートである。
【００７５】
図示されたように、段階S110では、受信部110でアナログ音声信号の入力を待機する。
【００７６】
段階S120において、制御部140は、入力部200を通じてPTT信号が入力されたか否か、又は、コンパレータ190を通じて音声データ存在信号が入力されたか否か、を判断する。
【００７７】
段階S130において、制御部140は、入力部200を通じてPTT信号が入力されたと判断した場合、またはコンパレータ190を通じて音声データ存在信号が入力されたと判断した場合、 ウェアラブル無線通信装置100のID及びペアリングコードをRFトランシーバ150に出力する。
【００７８】
段階S140において、制御部140は、受信部110を通じて入力された後A/D変換器130で転換されたデジタル音声信号をRFトランシーバ150に出力する。
【００７９】
段階S130及びS140を通じて、ウェアラブル無線通信装置100のID及びペアリングコード並びにデジタル音声信号が、アンテナ220を通じて他のウェアラブル無線通信装置に伝送される。
【００８０】
段階S150において、制御部140は、PTT信号の入力が停止したか否か、またはコンパレータ190を通じて音声データ信号が入力されたか否かを判断する。
【００８１】
段階S160において、制御部140は、PTT信号の入力停止、または音声データコンパレータ190を通じて音声データ存在信号の入力停止を確認すると、送信終了コードをRFトランシーバ150に出力する。 送信終了コードは、ウェアラブル無線通信装置100のアンテナ220を通じて他のウェアラブル無線通信装置に送信される。これにより、ウェアラブル無線通信装置間の送信ルーチンが終了する。
【００８２】
次に、図１１を参照して、本発明の一実施形態に係るウェアラブル無線通信装置の無線通信方法における信号受信処理について説明する。
【００８３】
図１１は、本発明の一実施形態に係るウェアラブル無線通信装置の無線通信方法における信号受信処理を示すフローチャートである。
【００８４】
図示されたように、段階S210では、アンテナ220でデジタル音声信号の入力を待機する。
【００８５】
段階S220において、制御部140は、アンテナ220を通じて入力される信号に、他のウェアラブル無線通信装置のID及びペアリングコードが含まれているか否かを判断する。
【００８６】
段階S230において、制御部140は、段階S220を通じて、アンテナ220で受信された信号に他のウェアラブル無線通信装置のID及びペアリングコードが含まれていると判断した場合、他のウェアラブル無線通信装置のID及びペアリングコードを表示部210に表示させる。
【００８７】
段階S240において、制御部140は、入力された他のウェアラブル無線通信のデジタル音声信号をD/A変換器160に出力し、D/A変換器160で変換されたアナログ音声信号は、音声出力部180を通じて出力される。
【００８８】
段階S250において、制御部140は、他のウェアラブル無線通信装置の送信信号に送信終了コードが含まれているか否かを判断する。
【００８９】
段階S260において、制御部140は、他のウェアラブル無線通信装置の送信信号に送信終了コードが含まれていると判断した場合、信号受信動作を終了する。
【００９０】
次に、図１２を参照して、本発明の一実施形態に係るウェアラブル無線通信装置の無線通信方法における全二重通信処理について説明する。
【００９１】
図１２は、本発明の一実施形態に係る無線ウェアラブル通信装置の無線通信方法における全二重通信の処理を示すフローチャートである。
【００９２】
まず、送信ルーチンについて説明する。段階S310において、受信部110は、アナログ音声信号の入力を待機する。
【００９３】
段階S320において、制御部140は、入力部200を通じてPTT信号が入力されたか否か、又はコンパレータ190を通じて音声データ存在信号が入力されたか否かを判断する。
【００９４】
段階S330において、PTT信号の入力、又は音声データ存在信号の入力時、制御部140は、基本パケットをRFトランシーバ150に出力する。
【００９５】
段階S340において、制御部140は、制御INSTを生成するか否かを判断する。
【００９６】
段階S350において、制御部140が、制御INSTを生成すると判断した場合、基本パケットに制御INSTパケットを含ませてRFトランシーバ150に出力する。段階S355において、制御部140が、制御INSTを生成しないと判断した場合には、基本パケットを続けてRFトランシーバ150に出力する。
【００９７】
段階S360において、制御部140は、送信が終了したか否か、すなわち他のウェアラブル無線通信装置が受信終了状態にあるか否かを判断する。
【００９８】
また、制御部140において送信が終了したと判断した場合には、受信部110は、アナログ音声信号の入力を待機している段階、の前に戻る。制御部140において送信終了でないと判断した場合、PTT信号の入力又は音声データ存在信号の入力時、制御部140が基本パケットをRFトランシーバ150に出力する段階、の前に戻る。
【００９９】
次に、受信ルーチンについて説明する。段階S310-1に置いて、アンテナ220はデジタル音声信号の入力を待機する。
【０１００】
段階S320-1において、制御部140は、アンテナ220を通じて入力された信号に他のウェアラブル無線通信装置のID及びペアリングコードが含まれているか否かを判断する。
【０１０１】
段階S330-1において、制御部140は、アンテナ220で受信された信号に他のウェアラブル無線通信装置のID及びペアリングコードが含まれていると判断した場合、該当する信号に制御INSTが一緒に受信されているか否かを判断する。
【０１０２】
段階S340-1において、制御部140は、制御INSTを一緒に受信したと判断した場合、制御INSTを実行する。
【０１０３】
段階S350-1では、制御部140が上記制御INSTを実行することにより、受信パケット情報が表示部210を通じて出力され、音声データが音声出力部180を通じて出力される。
【０１０４】
段階S360-1において、制御部140は、受信が終了したか否か、すなわち他のウェアラブル無線通信装置が送信終了状態にあるか否かを判断する。
【０１０５】
また、制御部140は、受信が終了したと判断した場合には、アンテナ220がデジタル音声信号の入力を待機する段階、の前に戻る。制御部140において受信終了でないと判断した場合、アンテナ220で受信された信号に他のウェアラブル無線通信装置のID及びペアリングコードが含まれていると判断した場合、該当する信号に制御INSTが一緒に受信されているか否かを判断する段階、の前に戻る。
【０１０６】
図１３は、本発明の一実施形態に係る通信グループ設定方法を示すフローチャートである。
【０１０７】
段階S410では、通信グループを設定しようとするウェアラブル無線通信装置100を制御モードに設定する。
【０１０８】
段階S420において、ウェアラブル無線通信装置100の制御部140は、設定しようとする通信グループの通信グループ設定情報を決定する。通信グループ設定情報は、例えば、通信グループに含まれる無線通信装置のID、ペアリングコード、マスタ、スレーブ、制御INST等を含んでもよい。
【０１０９】
段階S430において、ウェアラブル無線通信装置100の制御部140は、RFトランシーバ150及びアンテナ220を通じて通信グループ設定情報を送信する。
【０１１０】
段階S440において、他の無線通信装置は、通信グループ設定情報を受信し、グループ参加許可（又は暗黙の許可）がある場合、受信した通信グループ設定情報を確認する。
【０１１１】
段階S490において、他の無線通信装置が受信された通信グループ設定情報を保存及び設定することにより、ウェアラブル無線通信装置100及び他の無線通信装置を含む通信グループが設定される。
【０１１２】
そして、ウェアラブル無線通信装置100及び他の無線通信装置は、受信待機モードに転換され、通信グループに含まれる無線通信装置間で通信可能な状態となる。
【０１１３】
図１３の実施形態に係る通信グループ設定方法によれば、通信グループ設定情報の送信範囲、すなわち、通信グループを設定しようとするウェアラブル無線通信装置100の通信範囲内に存在する無線通信装置間で通信グループを設定することができる。しかし、場合によっては、無線通信装置間の通信グループを、いわゆるプライベート通信グループ、すなわち無線通信範囲よりも狭い範囲の無線通信装置間で通信グループを設定する必要がある。例えば、数メートルまたは数十メートル以内で集まった人々同士で通信グループを設定することがある。図１３の実施形態に係る通信グループ設定方法によれば、通信範囲内の全ての無線通信装置に通信グループ設定情報が伝達されるため、通信グループに参加したくない人や、セキュリティ上の理由から通信グループに含まれてはならない人が含まれてしまうおそれがある。本発明の他の実施態様は、無線通信範囲よりも小さい制限された範囲内にある無線通信装置間で通信グループを効果的に設定することができる通信グループ設定方法を提供する。
【０１１４】
図１４は、本発明の他の実施形態に係る通信グループ設定方法を示すフローチャートである。
【０１１５】
段階S410では、通信グループを設定しようとするウェアラブル無線通信装置100を制御モードに設定する。
【０１１６】
段階S420において、ウェアラブル無線通信装置100の制御部140は、設定しようとする通信グループの通信グループ設定情報を決定する。通信グループ設定情報は、例えば、通信グループに含まれる無線通信装置のID、ペアリングコード、マスタ、スレーブ、制御INST等を含んでもよい。
【０１１７】
段階S510において、ウェアラブル無線通信装置100の制御部140は、通信グループの設定が１次グループ設定か否かを判断する。ここで、通信グループが既に設定されている場合には１次グループ設定ではないものと判断でき、現在通信グループが設定されていない場合には１次グループ設定であると判断できる。
【０１１８】
１次グループ設定でない場合、図１３の実施形態と同様に、ウェアラブル無線通信装置100の制御部140は、RFトランシーバ150及びアンテナ220を通じて通信グループ設定情報を送信する（段階S430）。この場合、段階S430は、例えば、既に設定された通信グループ内の無線通信装置に新たな通信グループ設定情報を送信するものであってもよい。
【０１１９】
１次グループ設定である場合、段階S520に進み、後述するように、ウェアラブル無線通信装置100の制御部140は、DTMF信号を用いて限定された範囲内の無線通信装置に通信グループ設定情報を送信する。本実施形態では、DTMF信号は、音声出力部180（例えばスピーカ）を通じて音声として送出される。音声は限られた距離にしか届かないことから、限定された範囲内で無線通信装置間の通信グループを設定することができる。
【０１２０】
段階S520において、ウェアラブル無線通信装置100の制御部140は、ウェアラブル無線通信装置100の外部スピーカ及びマイクがオン状態であるか否かを確認する。外部スピーカ及びマイクがないかON状態でない場合、音声を送出できないことから、ウェアラブル無線通信装置100の制御部140は、RFトランシーバ150及びアンテナ220を通じて通信グループ設定情報を送信する（段階S430）。
【０１２１】
外部スピーカ及びマイクON状態であると、ウェアラブル無線通信装置100の制御部140は、通信グループ設定情報をDTMF信号に変換する。例えば、DTMF信号が4×4行列の周波数成分を有する場合、重畳トーン（２つの周波数の組み合わせ）を用いて16進数値を示すことができる。
【０１２２】
図１５は、DTMF信号の一例を示す図である。各行は低周波成分を示し、各列は無線周波数成分を示す。図に示すように、4×4行列の周波数成分を用いて、0からFまでの16進数を示すことができる。例えば、通信グループ設定情報として、通信グループに含まれる無線通信装置のID、ペアリングコード、マスタ、スレーブ、制御INSTなどの8つの16進数データが必要な場合、8つのDTMF信号（重畳トーン）を生成すればよい。
【０１２３】
段階S540において、ウェアラブル無線通信装置100の制御部140は、音声出力部180を通じてDTMF信号を送出する。例えば、音声出力部180を通じて8つの重畳トーンが順次送出される。
【０１２４】
次に、段階S550において、ウェアラブル無線通信装置100の周囲の他の無線通信装置は、受信部110（例えばマイク）通じてDTMF信号を受信する。ウェアラブル無線通信装置100の音声出力部180を通じて出力される音の音量及び他の無線通信装置の受信部110の感度によって、DTMF信号を数メートル〜数十メートル内で伝達することができる。これにより、数メートルから十数メートルの範囲内にある無線通信装置間で通信グループを設定することができる。 DTMF信号の周波数が超音波帯域にある場合、周囲雑音が多い場所でもDTMF信号の送受信が可能である。
【０１２５】
段階S560において、DTMF信号を受信した他の無線通信装置の制御部140は、使用者からのグループ参加許可（または暗黙の許可）がある場合、受信したDTMF信号をデコーディングして通信グループ設定情報を取得する。例えば、他の無線通信装置の制御部140は、受信したDTMF信号から該当する16進数データを復元することにより、通信グループ設定情報を取得できる。
【０１２６】
段階S490において、他の無線通信装置は、取得した通信グループ設定情報を保存及び設定することにより、ウェアラブル無線通信装置100及び他の無線通信装置を含む通信グループが設定される。
【０１２７】
そして、ウェアラブル無線通信装置100及び他の無線通信装置は、受信待機モードに転換され、通信グループに含まれる無線通信装置間で通信可能な状態となる。
【０１２８】
図１６は、本発明の他の実施形態に係る通信グループ設定方法を示すフローチャートである。
【０１２９】
段階S410では、通信グループを設定しようとするウェアラブル無線通信装置100が制御モードに設定される。
【０１３０】
段階S420において、ウェアラブル無線通信装置100の制御部140は、設定しようとする通信グループの通信グループ設定情報を決定する。通信グループ設定情報は、例えば、通信グループに含まれる無線通信装置のID、ペアリングコード、マスタ、スレーブ、制御INST等を含んでもよい。
【０１３１】
段階S510において、ウェアラブル無線通信装置100の制御部140は、通信グループの設定が１次グループ設定であるか否かを判断する。ここで、通信グループが既に設定されている場合には１次グループ設定ではないものと判断でき、現在通信グループが設定されていない場合には１次グループ設定であると判断できる。
【０１３２】
１次グループ設定でない場合、図１３の実施形態と同様に、ウェアラブル無線通信装置100の制御部140は、RFトランシーバ150及びアンテナ220を通じて通信グループ設定情報を送信する（段階S430）。この場合、段階S430は、例えば、既に設定された通信グループ内の無線通信装置に新たな通信グループ設定情報を送信するものであってもよい。
【０１３３】
１次グループ設定である場合、段階S520で、ウェアラブル無線通信装置100の制御部140は、ウェアラブル無線通信装置100の外部スピーカ及びマイクがオン状態であるか否かを確認する。外部スピーカ及びマイクON状態であると、図１４の実施形態と同様に、ウェアラブル無線通信装置100の制御部140は、通信グループ設定情報をDTMF信号に変換し（段階S530）、音声出力部180を通じてDTMF信号を送出する（段階S540）。
【０１３４】
段階S520において、外部スピーカ及びマイクがないかON状態でない場合、DTMF信号を使用することができないので、S610段階に進み、後述するように、ウェアラブル無線通信装置100の制御部140は、通信グループ設定情報に所定のRSSI基準値を含ませて送信する。そうすると、RSSI基準値を受信した他の無線通信装置は、RSSI基準値と測定されたRSSI値とを比較し、その結果によって、通信グループに参加するか否かを決定できる。RSSI測定値は距離に依存するので、限定された範囲内で無線通信装置間で通信グループを設定することが可能となる。
【０１３５】
実施形態によっては、外部スピーカおよびマイクの使用可否にかかわらず、DTMF信号を使用せずRSSI値を使用してもよい。この場合、図１６のフローチャートでは、S520〜S560の処理が省略され、１次グループ設定である場合には、段階S510からすぐに段階S610に進んでもよい。
【０１３６】
段階S610において、ウェアラブル無線通信装置100の制御部140は、通信グループの設定にRSSI値を使用するか否かを判断する。ここで、ユーザコマンドやプリセット設定によって、RSSI値を使用するか否かを判断してもよい。ウェアラブル無線通信装置100の制御部140は、RSSI値を使用しないと判断した場合、RFトランシーバ150及びアンテナ220を通じて通信グループ設定情報を送信する（段階S430）。
【０１３７】
RSSI値を使用すると判断した場合、ウェアラブル無線通信装置100の制御部140は、通信グループ設定情報に所定のRSSI基準値を含ませる。上述したように、通信グループ設定情報は、制御INSTを含むことができ、例えば、図３に示す制御INSTパケットのReserve1またはReserve2領域にRSSI基準値を含ませることができる。
【０１３８】
段階S630において、ウェアラブル無線通信装置100の制御部140は、RSSI基準値を含む通信グループ設定情報をRFトランシーバ150及びアンテナ220を通じて送信する。
【０１３９】
そして、段階S640において他の無線通信装置は、アンテナを通じてRSSI基準値を含む通信グループ設定情報を受信し、他の無線通信装置の制御部140は、受信した通信グループ設定情報からRSSI基準値を抽出する一方で、受信した信号のRSSI値を測定する。
【０１４０】
段階S650において、他の無線通信装置の制御部140は、測定されたRSSI値と通信グループ設定情報から抽出されたRSSI基準値とを比較して、測定されたRSSI値がRSSI基準値以上であるか否かを判断する。
【０１４１】
送信側の無線通信装置と受信側の無線通信装置とが非常に近接している場合のRSSI測定値を最大RSSI値という。一般に、数メートルの近距離で測定されるRSSI値は最大RSSI値の90〜95％であり、無線通信装置の最大通信距離で測定されるRSSI値は最大RSSI値の5〜10％である。したがって、RSSI基準値は、通信グループを設定するための範囲に応じて適切な値に決定され、使用者設定によって変更可能とすることができる。例えば、通信グループを設定しようとする範囲が数メートルである場合、RSSI基準値は最大RSSI値の90％に決定することができる。
【０１４２】
段階S650において、測定されたRSSI値がRSSI基準値以上であると判断されると、段階S660で他の無線通信装置の制御部140は、受信された通信グループ設定情報を確認し、通信グループに含まれる無線通信装置のID、ペアリングコード、マスタ、スレーブ、制御INST等の通信グループ設定情報を取得する。
【０１４３】
そして、段階S490において、他の無線通信装置は、通信グループ設定情報を保存及び設定することにより、ウェアラブル無線通信装置100及び他の無線通信装置を含む通信グループが設定される。
【０１４４】
また、ウェアラブル無線通信装置100及び他の無線通信装置は、受信待機モードに転換され、通信グループに含まれる無線通信装置間で通信可能な状態となる。
【０１４５】
図１７は、本発明の一実施形態に係るウェアラブル無線通信装置がリピータまたはリレーとして動作する例を示す図である。
【０１４６】
リピータとは、伝送される無線信号の長距離伝送のために、減衰した信号の再生や出力増加等、波形整形又は増幅を行う中継機能を意味する。
【０１４７】
リレーとは、無線通信ネットワークにおいて、送信端と受信端との間に１つ以上のリピータを設け、通信距離や通信端末数を拡張する機能を意味する。
【０１４８】
本発明の実施形態では、ウェアラブル無線通信装置100をリピータモードに設定してもよい。リピータモードでは、制御部140は送受信IDを変更し、アンテナ220を通じて受信された無線信号を一定の電力で増幅してアンテナ220を通じて再び送信することができる。無線信号を受信した２つ以上のリピータモードの無線通信装置は、相互通信して受信電力の強さを比較し、受信電力が最大の無線通信装置がリピータ機能を果たすようにすることができる。
【０１４９】
例えば、図１７に示すように、無線通信装置ID1、ID2、ID3（720、730、740）がリピータモードに設定されている場合、無線通信装置A（710）が無線信号を送信すると仮定する。無線通信装置B（750）は、無線通信装置A（710）から遠距離にあることから直接無線信号を受信できないことがある。
【０１５０】
無線通信装置ID1、ID2、ID3（720、730、740）はそれぞれ、無線通信装置A（710）からの信号を受信し、相互通信により受信電力の強さを比較する。そして、受信電力が最も強い無線通信装置ID1（720）は、無線通信装置A（710）から受信した信号を増幅して再び送信する。無線通信装置ID2、ID3（730、740）はそれぞれ、無線通信装置ID1（720）からの信号を受信し、相互通信により受信電力の強さを比較する。そして、受信電力が最も強い無線通信装置ID3（740）が無線通信装置ID1（720）から受信した信号を増幅して再び送信する。そして、無線通信装置B（750）は、無線通信装置ID3（740）から無線信号を受信することとなる。無線通信装置B（750）は、無線通信装置ID1（720）から送信された信号を受信してもよいが、無線通信装置ID3（740）から受信した信号がより強いため、無線通信装置ID3（740）から受信された信号を選択する。
【０１５１】
結果、無線通信装置A（710）が送信した信号は、無線通信装置ID1（720）、無線通信装置ID3（740）を経由して無線通信装置B（750）に伝達される。一方、無線通信装置B（750）が送信した信号は、無線通信装置ID3（740）、無線通信装置ID1（720）を経由して無線通信装置A（710）に伝達される。
【０１５２】
図１８は、本発明の一実施形態に係るウェアラブル無線通信装置がドナー無線機（donor radio）として動作する例を示す図である。
【０１５３】
ドナー無線機とは、ゲートウェイ、スイッチ、ルータ（router）等のVoIP装置を通じてVoIPネットワーク外の信号をVoIPネットワーク内に伝送するか、反対に、VoIP装置を通じてVoIPネットワークから信号を受信してネットワークの外に送信する機能を意味する。この機能により、本発明の実施形態に係るウェアラブル無線通信装置は、VoIPネットワークに接続された世界各地の無線通信装置と通信することができる。
【０１５４】
本発明の実施形態では、ウェアラブル無線通信装置100をドナー無線機として動作させるために、制御部140は、ゲートウェイ、スイッチ、ルータ等のVoIP装置から受信される信号をアンテナ220を通じて他の無線通信装置に送信するか、他の無線通信装置からアンテナ220を通じて受信される信号を、ゲートウェイ、スイッチ、ルータなどのVoIP機器に送信してVoIPネットワーク内に送信することができる。
【０１５５】
例えば、図１８に示すように、第１VoIP装置910及び第２VoIP装置920は、VoIPネットワーク又はVoIPサーバーに接続され、第１通信グループ810の第１無線通信装置811は、第１VoIP装置910に接続され、第２通信グループ820の第２無線通信装置821は、第２VoIP装置920に接続される。すなわち、第１無線通信装置811と第２無線通信装置821がドナー無線機として動作する。第１、第２無線通信装置811、821は、それぞれ、音声入出力ポート（図１の受信部110及び音声出力部180に対応）を通じて、第１、第２VoIP装置910、920に接続され信号を送受信することができる。 実施形態によっては、第1、第２無線通信装置811、821と、第１、第２VoIP装置910、920は、それぞれ互いに無線通信で信号を送受信することができる。
【０１５６】
第１無線通信装置811は、第１VoIP装置910から信号を受信すると、該当する信号を第１通信グループ810内の他の無線通信装置に送信し、第１通信グループ810内の他の無線通信装置から信号を受信すると、該当する信号を第１VoIP装置910に送信する。
【０１５７】
同様に、第２無線通信装置821は、第２VoIP装置920から信号を受信すると、該当する信号を第２通信グループ820内の他の無線通信装置に送信し、第２通信グループ820内の他の無線通信装置から信号を受信すると、該当する信号を第２VoIP装置920に送信する。
【０１５８】
したがって、第１通信グループ810の無線通信装置が送信した信号は、第１無線通信装置811、第１VoIP装置910、VoIPネットワーク、 第２VoIP装置920、第２無線通信装置821を経由して第２通信グループ820内の無線通信装置に伝達される。また、第２通信グループ820の無線通信装置が送信した信号は、第１VoIP装置910、VoIPネットワーク、第２VoIP装置920、及び第１無線通信装置811を経由して第１通信グループ810内の無線通信装置に伝達される。
【０１５９】
したがって、第１通信グループ810の無線通信装置と第２通信グループ820の無線通信装置とが、まるで１つの通信グループに属するかのように、互いに通信することができる。
【０１６０】
一方、図１９および図２０は、本発明の一実施形態に係るウェアラブル無線通信装置を使用者の身体または衣服に取り付けるための構造を示す。
【０１６１】
図１９は、図１のスピーカ型ウェアラブル無線通信装置のケースにストラップが接続された状態を示す図である。図に示すように、ストラップを接続することにより、首周辺にスピーカ型ウェアラブル無線通信装置を着用することができる。また、図８に示すようなクリップを用いてウェアラブル無線通信装置を使用者の衣服に取り付けることができる。
【０１６２】
図２０は、図９のイヤホン型ウェアラブル無線通信装置を使用者の衣服に取り付けられる構造を示す図である。図示されたように、イヤホン型ウェアラブル無線通信装置のケースに磁石を具備させ、使用者の衣服に具備された磁石（または金属片）に取り付けることで、使用者の衣服に取り付けることができる。図８のスピーカ型ウェアラブル無線通信装置も図２０と同じく磁石を利用して使用者の衣服に取り付けることができる。
【０１６３】
本発明の実施形態によれば、ウェアラブル無線通信装置は、全二重機能による時分割方式を用いて送受信を同時に行うことができる。
【０１６４】
また、ウェアラブル無線通信装置は、コード組合せを用いた分割機能により設定された通信グループに属するウェアラブル無線通信装置間でのみ通信させることが可能であるため、該当する通信グループに属する無線通信装置間での通信を、雑音や混信なしでクリアに行うことができる。
【０１６５】
また、ウェアラブル無線通信装置は、受信待機状態でスリープモードとオートポーリングモードとを含む１周期を繰り返すことにより、受信待機状態での消費電力を大幅に低減することができる。
【０１６６】
また、ウェアラブル無線通信装置は、使用者がPTTボタン等の追加的な入力動作を行わなくても、ウェアラブル無線通信装置のRFトランシーバ及びアンテナを通じて、受信部に音声信号を、自動的に送出することができる。
【０１６７】
また、ウェアラブル無線通信装置は、人間工学に基づいて設計されたケースにより、着用し易く、長時間使用しても不便に感じることがない。
【０１６８】
また、ウェアラブル無線通信装置は、他のウェアラブル無線通信装置を遠隔制御でき、他のウェアラブル無線通信装置の通信を遠隔制御できるウェアラブル無線通信装置であって、複数のウェアラブル無線通信装置間のマスタ−スレーブ関係を形成して、当該マスタ−スレーブ関係のウェアラブル無線通信装置間の音声通信を効率良く行うことができる。
【０１６９】
また、ウェアラブル無線通信装置は、通信グループ設定情報をDTMF信号に変換して送信することにより、または所定のRSSI基準値を含む通信グループ設定情報を送信することにより、限定された範囲内において、他の無線通信装置と通信グループを設定することができる。
【０１７０】
以上、本発明の例示的な実施形態について説明したが、当業者であれば、本発明の本質的な特徴から逸脱することなく本発明を変更できることを理解されたい。したがって、開示された実施形態は、限定的な観点ではなく、説明的な観点から考慮されるべきである。  本発明の範囲は、上記の説明ではなく、特許請求の範囲によって定義され、その均等の範囲内のすべての相違点が含まれると理解されるべきである。
【符号の説明】
【０１７１】
110  受信部
180  音声出力部
230  ケース
330  ケース
810  第１通信グループ
811  第１無線通信装置
820  第２通信グループ
821  第２無線通信装置
910  第１VoIP装置
920  第２VoIP装置
【図１】
2018113665.tif 000003
【図２】
2018113665.tif 000004
【図３】
2018113665.tif 000005
【図４】
2018113665.tif 000006
【図５】
2018113665.tif 000007
【図６】
2018113665.tif 000008
【図７】
2018113665.tif 000009
【図８】
2018113665.tif 000010
【図９】
2018113665.tif 000011
【図１０】
2018113665.tif 000012
【図１１】
2018113665.tif 000013
【図１２】
2018113665.tif 000014
【図１３】
2018113665.tif 000015
【図１４】
2018113665.tif 000016
【図１５】
2018113665.tif 000017
【図１６】
2018113665.tif 000018
【図１７】
2018113665.tif 000019
【図１８】
2018113665.tif 000020
【図１９】
2018113665.tif 000021
【図２０】
2018113665.tif 000022
【外国語明細書】
2018113665000001.pdf